(57)【要約】【課題】壁面用パネルの組み立て作業を迅速に行えることは勿論のこと、壁面用パネルの模様替えも、迅速に行うことができる壁面用パネル構造を提供することを課題とする。【解決手段】商品展示用のアタッチメント１１を装着可能な装着部２Ｓを備えたパネル２の多数を縦横に並べて壁面を形成し、隣り合うパネル２，２同士の前面周縁部に形成された被連結部に前方から連結して各パネル２，２間の連結を行うための連結具４を連結解除自在に設けた。【選択図】図２
2008031690.tif 000002
【特許請求の範囲】
【請求項１】
商品展示用のアタッチメントを装着可能な装着部を備えたパネルの多数を縦横に並べて壁面を形成し、隣り合うパネル同士の前面周縁部に形成された被連結部に前方から連結して各パネル間の連結を行うための連結具を連結解除自在に設けたことを特徴とする壁面用パネル構造。
【請求項２】
前記被連結部を、前後方向に形成された貫通孔から構成し、前記連結具を、隣り合うパネルに形成の前記貫通孔に同時に挿入されて該両パネルを連結する一対の挿入部と、これら挿入部を前記貫通孔に挿入操作するとともに該一対の挿入部を一体化するための摘み部とを備えている請求項１に記載の壁面用パネル構造。
【請求項３】
前記挿入部を、前記摘み部の前後移動により前記貫通孔に対して抜き差し自在なストレートな棒状体から構成している請求項２に記載の壁面用パネル構造。
【請求項４】
前記隣り合うパネルに形成の前記貫通孔への一対の挿入部の挿入完了時に、前記摘み部の前面が前記パネルの前面と面一又は該パネルの前面よりも後方へ入り込んだ状態とするための凹部又は切欠きを、該貫通孔の前方に備えさせている請求項２又は３に記載の壁面用パネル構造。
【請求項５】
前記貫通孔への一対の挿入部の挿入完了時に、前記摘み部を前方側へ引っ張り操作するための工具を挿入可能な隙間を、該摘み部の後面とこれに対応する凹部又は切欠きとの間に形成してなる請求項４に記載の壁面用パネル構造。
【発明の詳細な説明】
【技術分野】
【０００１】
本発明は、建物内に、商品を吊り下げたり陳列して展示することができるように、化粧用の多数のパネルを縦横に連結したり、間仕切り用の多数のパネルを縦横に連結して構成される壁面用パネル構造に関する。
【背景技術】
【０００２】
上記壁面用パネル構造としては、前後方向が開放された４つの周縁部を有する正方形状の枠部材を備え、その枠部材の周縁部は、その周縁部の厚み方向の複数箇所に上下方向及び左右方向へ突出する突出部を備えているとともに、それら突出部が隣り合う他方の枠部材側の突出部間に互い違いに入り込んで前後方向の移動が阻止された状態で接続するための接続部を備えており、それら多数の枠部材を縦横に配置してから、それら隣り合う枠部材同士の接続部に形成の貫通孔に渡って貫通して係合する係合ピンを前方の枠部材にて形成される貫通孔を通して挿入し、その挿入した係合ピンをパネル併設方向にある一対の貫通孔に渡って貫通させることにより各枠部材同士を連結し、その後前方の開口を覆うカバー部材を枠部材に取り付けて、壁面用パネルを構成するようにしている（例えば、特許文献１参照）。
【特許文献１】特開平６−１０６６２７号公報（第１図参照）
【発明の開示】
【発明が解決しようとする課題】
【０００３】
前記特許文献１の壁面用パネル構造によれば、隣り合う枠部材を係合ピンにて連結するためには、枠部材の前方の開口を通して係合ピンを入り込ませてから、枠部材併設方向の狭い空間内にある一対の貫通孔に係合ピンを差し込むことが非常に難しいだけでなく、連結後において枠部材の前方の開口を閉じるためのカバー部材を別途取り付ける作業も必要になるため、壁面用パネルを組み立てる作業に多くの時間を要するものであった。
又、一方の枠部材の突出部が隣り合う他方の枠部材側の突出部間に互い違いに入り込んで前後方向の移動が阻止された状態で枠部材同士が接続されることから、一旦壁面用パネルを組み立ててしまうと、組み立てた多数の枠部材のうちの中央部付近に位置する一部の枠部材を取り外して他の形状の枠部材に取り替えることができない。つまり、外側に位置する枠部材から順番に取り外していかなければ、所望の枠部材を取り外すことができず、壁面用パネルの模様替えを迅速に行うことができないものであった。
【０００４】
本発明が前述の状況に鑑み、解決しようとするところは、壁面用パネルの組み立て作業を迅速に行えることは勿論のこと、壁面用パネルの模様替えも、迅速に行うことができる壁面用パネル構造を提供することを課題とする。
【課題を解決するための手段】
【０００５】
本発明の壁面用パネル構造は、商品展示用のアタッチメントを装着可能な装着部を備えたパネルの多数を縦横に並べて壁面を形成し、隣り合うパネル同士の前面周縁部に形成された被連結部に前方から連結して各パネル間の連結を行うための連結具を連結解除自在に設けたことを特徴としている。
壁面用パネルの組み立てを行う場合には、多数のパネルを縦横に並べて壁面を形成した状態から、連結具を前方から被連結部に対して連結するだけで、壁面用パネルを組み立てることができる。そして、組み立てた壁面用パネルのうちの一部を他のパネルに取り替える場合でも、前記連結具を被連結部に対して連結解除するだけで、外周縁に位置していない箇所に位置しているパネルであっても、取り外すことができる。尚、必要に応じてパネルの装着部にアタッチメントを装着して商品を展示することができる。前記アタッチメントとしては商品を吊り下げるための棒状体や棚を載置支持するための支持ブラケット等がある。
【０００６】
前記被連結部を、前後方向に形成された貫通孔から構成し、前記連結具を、隣り合うパネルに形成の前記貫通孔に同時に挿入されて該両パネルを連結する一対の挿入部と、これら挿入部を前記貫通孔に挿入操作するとともに該一対の挿入部を一体化するための摘み部とを備えていてもよい。
【０００７】
前記挿入部を、前記摘み部の前後移動により前記貫通孔に対して抜き差し自在なストレートな棒状体から構成してもよい。
【０００８】
前記隣り合うパネルに形成の前記貫通孔への一対の挿入部の挿入完了時に、前記摘み部の前面が前記パネルの前面と面一又は該パネルの前面よりも後方へ入り込んだ状態とするための凹部又は切欠きを、該貫通孔の前方に備えさせてもよい。
【０００９】
前記貫通孔への一対の挿入部の挿入完了時に、前記摘み部を前方側へ引っ張り操作するための工具を挿入可能な隙間を、該摘み部の後面とこれに対応する凹部又は切欠きとの間に形成してもよい。
【発明の効果】
【００１０】
隣り合うパネル同士の前面周縁部に形成された被連結部に前方から連結して各パネル間の連結を行うための連結具を連結解除自在に設けることによって、壁面用パネルの組み立て作業を迅速に行えることは勿論のこと、所望箇所のパネルを取り外して別のパネルを取り付ける壁面用パネルの模様替えも、迅速に行うことができる壁面用パネル構造を提供することができる。
【００１１】
前記被連結部を、前後方向に形成された貫通孔から構成し、前記連結具を、隣り合うパネルに形成の前記貫通孔に同時に挿入されて該両パネルを連結する一対の挿入部と、これら挿入部を前記貫通孔に挿入操作するとともに該一対の挿入部を一体化するための摘み部とを備えている場合には、隣り合うパネルに形成のそれぞれの貫通孔に一対の挿入部を挿入するように摘み部を持って操作する１つの動作だけで、両パネルを迅速に連結することができる。
【００１２】
前記挿入部を、前記摘み部の前後移動により前記貫通孔に対して抜き差し自在なストレートな棒状体から構成している場合には、挿入部を貫通孔に対して前後移動させるだけで連結及び連結解除を容易迅速に行うことができる。
【００１３】
前記隣り合うパネルに形成の前記貫通孔への一対の挿入部の挿入完了時に、前記摘み部の前面が前記パネルの前面と面一又は該パネルの前面よりも後方へ入り込んだ状態とするための凹部又は切欠きを、該貫通孔の前方に備えさせている場合には、パネル表面から摘み部の前面が突出することがないから、他物が摘み部の外縁に引っ掛かることがないだけでなく、意匠感に優れた商品価値の高いものにすることができる。
【００１４】
前記貫通孔への一対の挿入部の挿入完了時に、前記摘み部を前方側へ引っ張り操作するための工具を挿入可能な隙間を、該摘み部の後面とこれに対応する凹部又は切欠きとの間に形成することによって、摘み部を小さくすることができながらも、摘み部を前方側へ引っ張り操作して連結解除する作業を迅速に行うことができる。
【発明を実施するための最良の形態】
【００１５】
図１に、３種類の正面視において正方形状のパネル１，２，３の多数をランダムに縦横に並べた状態、つまり縦３列×横４列の合計１２個のパネルを並べた壁面用パネルを示している。前記のように多数のパネル１，２，３を全て並べてから、図７（ａ），（ｂ）で示す連結具４にて隣り合うパネル同士を連結したり、並べたパネル同士から連結具４にて順番に連結することにより、壁面用パネルを完成することになる。ここでは、正方形のパネルとしているが、長方形あるいは多角形の他、円形や楕円形のものであってもよいが、矩形状のパネルの方が、特に上下方向に安定良く積み重ねることができるので好ましい。尚、前記パネルの個数及び種類数は、自由に変更可能である。前記パネル１，２，３は、軽量化を図るとともにコスト面において有利にするために合成樹脂で形成することが好ましいが、金属や木等で構成してもよい。ここでは、連結具４にてパネル同士の連結を行う場合には、後述するように連結具４を貫通孔５Ａに挿入することになるが、被係止部に係止及び係止解除自在な係止部材を設けて実施することもできる。
【００１６】
前記パネル１，２，３のうちの第１のパネル１は、図２（ａ），（ｂ）に示すように、裏面のみ開放された箱型状からなり、前面を構成する正方形の前板部１Ａと、この前板部１Ａの４辺から後方へ向かって延びる上板部１Ｂ、下板部１Ｃ、左板部１Ｄ、右板部１Ｅとを主要構成部材としている。前記前板部１Ａの中心に、貫通孔１Ｋが形成され、この貫通孔１Ｋに対して左右方向及び上下方向に４本の溝１Ｍが形成されている。又、前記前板部１Ａの前面周縁部に８個の切欠き１Ｈが形成され、各切欠き１Ｈに挿入される前記連結具４が連結される被連結部としての貫通孔５Ａが形成されている。この貫通孔５Ａは、板部１Ｂ，１Ｃ，１Ｄ，１Ｅの内面に該板部の前端部から後方に伸びる断面形状Ｃ字状の保持部５の内面にて形成され、前後方向に長くなっている。前記貫通孔１Ｋを壁面固定用のボルト（図示せず）を挿入するための孔として利用することもできる。この場合、箱型状の第１のパネル１の裏面を塞ぐための裏板（図示せず）を装着し、前記貫通孔１Ｋから挿入した壁面固定用ボルトを裏板（裏板に予め孔を形成しておいてもよいし、ボルトで無理矢理貫通させてもよい）を貫通させて壁面にねじ込んむことで、第１のパネル１を壁面に固定してもよい。
【００１７】
前記前板部１Ａの中心に形成の貫通孔１Ｋの裏面側に、後方に延びる円筒状部材６を備えており、図８で示す棒状体７を挿入した状態で支持することで、商品展示用のアタッチメントとしての一例である棒状体７を装着可能な装着部を構成している。前記棒状体７の円筒状部材６に差し込む後端側部位に内臓されたコイルスプリング８にて突出付勢された半球状の係止部材９を備えさせてあり、円筒状部材６に棒状体７を挿入したときに、円筒状部材６に形成されている孔６Ａに係止部材９が入り込んで係止することによって、棒状体７を円筒状部材６に対して挿入した特定深さにて係止保持することができるようにしているが、このような係合構造を省略して実施することができる。尚、係止孔６Ｋに係止部材９が入り込んで係止された状態において、例えば棒状体７を回転操作することによって、係合解除することによって、棒状体７を円筒状部材６から前方側へ容易に抜くことができるように構成してもよい。
【００１８】
前記棒状体７を差し込むことによって、この棒状体７を商品を吊り下げるための吊り下げ具として利用したり、例えば図９に示すように、２本の棒状体７，７間に商品載置用の板状部材１０を載置支持することもできる。
【００１９】
前記第２のパネル２は、図３（ａ），（ｂ）に示すように、中心部を通る縦横に形成された溝２Ｍに所定間隔を置いて多数のスリット２Ｓを形成することで、商品展示用のアタッチメントとしての一例である（後述する）ブラケット１１を装着可能な装着部を構成している。他の部分は、第１のパネル１と同様である。つまり、裏面のみ開放された箱型状からなり、前面を構成する正方形の前板部２Ａと、この前板部２Ａの４辺から後方へ向かって延びる上板部２Ｂ、下板部２Ｃ、左板部２Ｄ、右板部２Ｅとを主要構成部材としている。又、前記前板部２Ａの前面周縁部に８個の切欠き２Ｈが形成され、各切欠き２Ｈに挿入される前記連結具４が連結される被連結部としての貫通孔５Ａが形成されている。この貫通孔５Ａは、板部２Ｂ，２Ｃ，２Ｄ，２Ｅの内面に該板部の前端部から後方に伸びる断面形状Ｃ字状の保持部５の内面にて形成され、前後方向に長くなっている。図３で示した第２のパネル２に形成されるスリット２Ｓの数は、図１及び図１０のものと異ならせているが、スリット２Ｓの数は、何個形成してもよく、数には限定されない。又、スリット２Ｓを利用しない場合に、スリット２Ｓから第２パネル２の内部が見えないように裏面側からスリット２Ｓを塞ぐ（埋めてもよい）部材を取り付けて実施することも可能である。
【００２０】
図１０に示すように、前記縦方向の２個のスリット２Ｓ，２Ｓに入り込んで下方へ落とし込ませることで係止保持させるための上下一対の係止部１１Ａ，１１Ａを備えた板状のブラケット１１の２枚を、左右同一高さ位置に備えさせることによって、それら左右一対のブラケット１１，１１に商品載置用の板状部材１２を載置支持することができる。尚、前記ブラケットの前端部に上方に突出して前記板状部材１２の前端部を係止保持するための突起１１Ｔを備えさせてもよいし、なくてもよい。
【００２１】
第３のパネル３は、中心部を通る縦横に形成された溝３Ｍが形成された化粧用のパネルであり、他の部分は、第１のパネル１と同様である。つまり、裏面のみ開放された箱型状からなり、前面を構成する正方形の前板部３Ａと、この前板部３Ａの４辺から後方へ向かって延びる上板部３Ｂ、下板部３Ｃ、左板部３Ｄ、右板部３Ｅとを主要構成部材としている。又、前記前板部３Ａの前面周縁部に８個の切欠き３Ｈが形成され、各切欠き３Ｈに挿入される前記連結具４が連結される被連結部としての貫通孔５Ａが形成されている。この貫通孔５Ａは、板部３Ｂ，３Ｃ，３Ｄ，３Ｅの内面に該板部の前端部から後方に伸びる断面形状Ｃ字状の保持部５の内面にて形成され、前後方向に長くなっている。このような商品展示用のアタッチメントを装着することができない第３のパネル３は、場合によっては省略して実施することもできる。つまり、第１のパネル１の貫通孔を図示していないキャップ等で埋めることによって、第３のパネル３を代用することで、パネルの種類を減らすことができるようにしてもよい。
【００２２】
前記連結具４は、図６（ａ），（ｂ）及び図７（ａ），（ｂ）に示すように、隣り合うパネル１，３に形成の前記貫通孔５Ａ，５Ａに同時に挿入されて該両パネル１，３を連結する一対の円形でストレートな棒状の挿入部４Ａ，４Ａと、これら挿入部４Ａ，４Ａを前記貫通孔５Ａ，５Ａに挿入操作するとともに該一対の挿入部４Ａ，４Ａを一体化するための摘み部４Ｂとから構成されている。従って、図１で示したように、パネル１，２，３の多数を縦横に並べて壁面を形成し、隣り合うパネル同士の前面周縁部に形成された貫通孔５Ａ，５Ａに連結具４の一対の挿入部４Ａ，４Ａを前方から挿入して連結することによって、各パネル間の連結を行うことができるようにしている。前記挿入部４Ａ，４Ａを、前記摘み部４Ｂを前後方向に移動させることにより前記貫通孔５Ａ，５Ａに対して抜き差しすることができるようになっているが、挿入部の挿入方向先端部に二股状に分離する脚部を互いに接近することができる構成とし、前記貫通孔５Ａ，５Ａを先端部が通過している間は、保持部５の内面にて脚部が互いに接近した状態となり、貫通孔５Ａ，５Ａを通過した時点で脚部が復元力にて拡がって保持部５の端面に係止する係止部を脚部に備えさせたものから構成してもよい。
【００２３】
図５及び図６（ａ），（ｂ）に示すように、前記第１のパネル１（他のパネルも同様である）の前面の周縁に切欠き１Ｈを形成することによって、隣り合うパネル１，３に形成の前記貫通孔５Ａ，５Ａへの一対の挿入部４Ａ，４Ａの挿入完了時に、前記摘み部４Ｂの前面が前記パネル１，３の前面よりも少し後方へ入り込んだ状態（パネル１，３の前面と面一状態であってもよい）にすることができ、他物が連結部４に引っ掛かることがないようにしているが、多少パネルの前面から前方へ出っ張るものであってもよい。図では切欠き１Ｈを示したが、底面のある凹部であってもよい。
【００２４】
又、図６（ａ），（ｂ）に示すように、前記貫通孔５Ａ，５Ａへの一対の挿入部４Ａ，４Ａの挿入完了において、前記摘み部４Ｂの後面４ｂとこれに対応する切欠き１Ｈとの間に該摘み部４Ｂを前方側へ引っ張り操作するための工具ｇを挿入可能な隙間Ｓ１を形成している。この場合、切欠き１Ｈが前後方向に貫通する貫通孔も同時に形成していることから、切欠き１Ｈと摘み部４Ｂの外周縁との間にのみ隙間Ｓ１が形成されていればよい。
前記切欠き１Ｈが凹部１Ｈの場合を図１１に示している。この場合には、摘み部４Ｂの挿入部側に摘み部４Ｂの外径よりも小径な段部４Ｄを形成することによって、凹部１Ｈの底面１ｈと摘み部４Ｂの裏面４ｂとの間にも第２の隙間Ｓ２を形成することができるから、工具ｇの先端を第１の隙間Ｓ１を介して第２の隙間Ｓ２へ挿入することによって、工具ｇにて摘み部４Ｂを前方側へ引っ張り操作することができるようになっている。
【００２５】
図１０に、第２パネル２を壁面に壁面固定用の金具１３にて固定する場合を示している。壁面固定用の金具１３は、下端に位置する下側縦板部１３Ａに後方へ延びるとともに第２パネル２の上端に位置する前記貫通孔５Ａに差し込まれる棒状部１３Ｂと、前記下側縦板部１３Ａの上端から水平方向に延びるとともに第２パネル２の上端面に接触する水平板部１３Ｃと、この水平板部１３Ｃの後端から上方へ延びるとともに壁面にビス１４により固定するための貫通孔１３Ｋが形成された上側縦板部１３Ｄとから構成されている。従って、図１０の破線で示す金具１３，１３をビス１４にて壁面に固定することでパネル全体を上端側で固定することができるようにしているが、図１２に示すように、構成してもよい。図１２では、壁面Ｆにビス１５にて固定された逆Ｌ字状の固定金具１６の上側を第１パネル１の上端内面に上から挿入可能なビス１７にて固定することにより、第１パネル１を壁面Ｆに固定することができるようになっている。従って、金具１３又は１６にて固定されていないパネル１，２，３は、８箇所（４箇所でもよい）にて連結された連結具４を前方側へ工具ｇなどを利用して引っ張り抜くことにより、どのパネルでも容易かつ迅速に取り外して他の別のパネルに迅速に取り替えることができるようになっている。ここでは、工具ｇにて取り外す場合を示したが、連結具４を工具なしで取り外すことができる構成のものであってもよい。
【００２６】
図では、壁にパネル１，２，３を固定して使用する場合を説明したが、部屋の空間を仕切る間仕切り用パネルとして使用することもできる。この場合には、パネル１，２，３の後面（背面）の開口を閉じる板部材を装着してから、支持台や支持脚あるいは左右一対の支柱などを用いて組み立てたパネルを支持するようにしてもよい。
【図面の簡単な説明】
【００２７】
【図１】３種類のパネルを縦横に並べた状態を示す正面図である。
【図２】第１パネルを示し、（ａ）はそれの正面図、（ｂ）はそれの側面図である。
【図３】第２パネルを示し、（ａ）はそれの正面図、（ｂ）はそれの側面図である。
【図４】第３パネルを示し、（ａ）はそれの正面図、（ｂ）はそれの側面図である。
【図５】隣り合うパネルを連結具にて連結した状態を示す正面図である。
【図６】隣り合うパネルを連結具にて連結した状態を示す要部の拡大図であり、（ａ）はそれの正面図、（ｂ）はそれの縦断側面図である。
【図７】連結具を示し、（ａ）はそれの側面図、（ｂ）はそれの挿入部側から見た背面図である。
【図８】棒状体を第１パネルに差し込んだ状態の側面図である。
【図９】棒状体を第１パネルに差し込んで板状部材を載置した状態を示す斜視図である。
【図１０】第２パネルに板状部材を載置させる例を示す斜視図である。
【図１１】別の形状の連結具にて別の構成のパネルを連結する要部の断面図である。
【図１２】第１パネルを別の手段にて壁面に固定した例を示し、（ａ）はそれの正面図、（ｂ）はそれの側面図である。
【符号の説明】
【００２８】
１，２，３…パネル、４…連結具、１Ｂ，２Ｂ，３Ｂ…上板部、１Ｃ，２Ｃ，３Ｃ…下板部、１Ｄ，２Ｄ，３Ｄ…左板部、１Ｅ，２Ｅ，３Ｅ…右板部、１Ｋ…貫通孔、１Ｈ，２Ｈ，３Ｈ…切欠き、１Ｍ，２Ｍ，３Ｍ…溝、２Ｓ…スリット（装着部）、４…連結具、４Ａ…挿入部、４Ｂ…摘み部、４Ｄ…段部、５…保持部、５Ａ…貫通孔、６…円筒状部材（装着部）、６Ａ…孔、６Ｋ…係止孔、７…棒状体（アタッチメント）、８…コイルスプリング、９…係止部材、１０…板状部材、１１…ブラケット（アタッチメント）、１１Ａ…係止部、１１Ｔ…突起部、１２…板状部材、１３…金具、１３Ａ…下側縦板部、１３Ｂ…棒状部、１３Ｃ…水平板部、１３Ｄ…上側縦板部、１３Ｋ…貫通孔、１４，１５…ビス、１６…固定金具、１７…ビス、Ｓ１，Ｓ２…隙間、ｇ…工具
【図１】
2008031690.tif 000003
【図２】
2008031690.tif 000004
【図３】
2008031690.tif 000005
【図４】
2008031690.tif 000006
【図５】
2008031690.tif 000007
【図６】
2008031690.tif 000008
【図７】
2008031690.tif 000009
【図８】
2008031690.tif 000010
【図９】
2008031690.tif 000011
【図１０】
2008031690.tif 000012
【図１１】
2008031690.tif 000013
【図１２】
2008031690.tif 000014